(57)【要約】【課題】爪の表側と裏側とに付着した垢や汚れを同時に除去することができるネイルブラシを提供する。【解決手段】ネイルブラシ１０は、第一ボディ部１２と第二ボディ部１４から成る本体１６と、第一ボディ部１２と第二ボディ部１４とを連結する連結部１８と、第一ボディ部１２及び第二ボディ部１４に植設された毛束２０とから構成される。使用時には、毛束２０を爪２８に押し付けることで、爪２８の生え際の隙間３０や爪２８の先端裏側に毛束２０の先端が入り込み、第一ボディ部１２及び第二ボディ部１４を左右に擦り動かすことで、それらに付着した垢や汚れを同時に取り除くことができる。【選択図】図３
2005349091.tif 000002
【特許請求の範囲】
【請求項１】
第一ボディ部と第二ボディ部とから成る本体と、前記第一ボディ部と前記第二ボディ部とを折り曲げ可能に連結する連結部と、前記本体を折り曲げたときに前記第一ボディ部及び前記第二ボディ部の対向する面に取付けられる多数の毛束とを有することを特徴とするネイルブラシ。
【請求項２】
前記多数の毛束が前記連結部と平行な複数の列を形成し、その複数列の半数以上の列で前記連結部に近い側の列では、各列の毛束の高さが前記連結部に近い側を最も低くし前記連結部から離れるに連れて高くしたことを特徴とする請求項１記載のネイルブラシ。
【請求項３】
前記第一ボディ部と前記第二ボディ部とのそれぞれに、手で持つための把持部を備えたことを特徴とする請求項１記載のネイルブラシ。
【発明の詳細な説明】
【技術分野】
【０００１】
本発明は、爪の生え際の隙間や爪自体に付着した垢や汚れを除去するためのネイルブラシに関するものである。
【背景技術】
【０００２】
従来から、爪の生え際（爪の表側では爪の左右両側並びに爪の奥側、爪の裏側では爪と指の肉の間）の隙間や爪自体（爪の表側では表面に見える箇所全体、爪の裏側では爪の生え際から先に伸びた箇所）に付着した垢や汚れを落とすための道具として、柄の一端部に清掃用の合成樹脂等を素材とする毛束を多数植設した爪垢除去のための専用ブラシ（ネイルブラシ）が知られている（例えば、特許文献１）。
【０００３】
タオルやスポンジ等を使用して石鹸等で手を洗うだけでは、爪の生え際の隙間や爪自体の先端裏側に付着した垢や汚れは完全に除去することができない場合がある。このため、垢や汚れが付着して取れ難くなっている爪の生え際の隙間や爪自体の先端裏側にネイルブラシの毛束の先端を当て、ネイルブラシを擦り動かすことにより、それらに付着している垢や汚れを取り除いている。この際、効果的に垢や汚れを落とすために、水や石鹸を同時に使用する場合もある。
【特許文献１】登録実用新案第３０３８６４１号公報
【発明の開示】
【発明が解決しようとする課題】
【０００４】
しかしながら、従来のネイルブラシでは、爪の表側か裏側のいずれか一方側しか垢や汚れの除去作業を行えないものである。即ち、爪の垢や汚れの除去作業は、爪の表側と爪の裏側とは別の作業となり爪の手入れ作業に時間がかかるという不具合があった。
【０００５】
そこで、本発明は上記問題点に鑑みてなされたものであり、爪の表側と裏側とに付着した垢や汚れを同時に除去することで、爪の手入れ作業時間を従来の半分に短縮できるようにしたネイルブラシを提供するものである。
【課題を解決するための手段】
【０００６】
上記課題を解決するため、本発明のネイルブラシは、第一ボディ部と第二ボディ部とから成る本体と、前記第一ボディ部と前記第二ボディ部とを折り曲げ可能に連結する連結部と、前記本体を折り曲げたときに前記第一ボディ部及び前記第二ボディ部の対向する面に取付けられる多数の毛束とを有することを特徴とする。本発明は、前記多数の毛束が前記連結部と平行な複数の列を形成し、その複数列の半数以上の列で前記連結部に近い側の列では、各列の毛束の高さが前記連結部に近い側を最も低くし前記連結部から離れるに連れて高くしたことを特徴とする。本発明は、前記第一ボディ部と前記第二ボディ部とのそれぞれに手で持つための把持部を備えたことを特徴とする。
【発明の効果】
【０００７】
本発明のネイルブラシは、爪の表側と爪の裏側との両側に同時に毛束を接触させることができるので、爪の表側と爪の裏側とに付着した垢や汚れを同時に除去することができ、垢や汚れの除去作業時間を短縮することができる。また、複数の毛束の列を設け、各列の高さに段差を設けているので、爪の生え際の隙間や爪自体の先端裏側に毛束の先端が入り込み易くなり、清掃性が向上する。多数の毛束を設けた第一ボディ部と第二ボディ部との両方に把持部を設けているので、垢や汚れ等の付着度合いに応じて除去する力の強弱を加減することができる。
【発明を実施するための最良の形態】
【０００８】
以下、本発明の好適な実施例を図面に基づいて説明する。図１は本発明に係るネイルブラシの一実施例を示す平面図、図２は図１の斜視図であり、図３は本発明に係るネイルブラシの使用状態を示す側面図である。ネイルブラシ１０は、第一ボディ部１２と第二ボディ部１４から成る本体１６と、第一ボディ部１２と第二ボディ部１４とを連結する連結部１８と、第一ボディ部１２及び第二ボディ部１４に植設等によって取付けられる多数の毛束２０とから構成される。
【０００９】
第一ボディ部１２と第二ボディ部１４は、合成樹脂等から成る硬質プラスチックを素材とし、板状に形成するのが望ましい。第一ボディ部１２と第二ボディ部１４とを連結する連結部１８は弾性又は柔軟性を備えており、例えばゴムや布等の屈折可能な素材から成る。連結部１８は、第一ボディ部１２や第二ボディ部１４と同一素材としてそれらと一体に形成し、肉厚を薄くすることで弾性または柔軟性を備えるようにしても良い。その連結部１８を屈折させることにより、本体１６は折り曲げられた状態（第一ボディ部１２の一方の面と第二ボディ部１４の一方の面とが近接する状態）となる。
【００１０】
連結部１８を屈折させることで互いに近接する第一ボディ部１２の片面と第二ボディ部１４の片面に、それぞれ多数の毛束２０が植設等で取付けられる。毛束２０は、錆びたりカビが生えることがない抗菌加工をしたポリエステル、ナイロン又はアクリル等の合成繊維から成る合成樹脂毛を複数本束にしたものが望ましく、例えば植設する際には複数本の合成樹脂毛を一束とし第一ボディ部１２及び第二ボディ部１４の孔に挿入して例えば接着剤等で固着する。
【００１１】
第一ボディ部１２及び第二ボディ部１４において、多数箇所の毛束２０は連結部１８と平行な複数列（例えば６列）に配置されている。この毛束２０の長さは植設された列毎に異なり、本体１６の内側（連結部１８に近い側）の列Ａを最も短くし、外側（連結部１８から遠い側）に向かうに連れて徐々に長くし、一番外側の列Ｆの毛束２０の長さを最も長くする。例えば、本実施例では、列Ａの毛束２０の長さを３ｍｍ、同様に列Ｂを５ｍｍ、列Ｃを７ｍｍ、列Ｄを９ｍｍ、列Ｅを１１ｍｍ、列Ｆを１３ｍｍとする。これにより、毛束２０は列Ａから列Ｆにかけて段差（傾斜）を形成する。
【００１２】
なお、複数列（例えば６列）のうち内側から外側に向かう途中までの列においては、毛束２０の高さを異なる段差とするが、例えば外側の２列は同じ高さとしても良い。内側の数列の毛束２０の高さを高さの異なる段差とするのは、爪２８の先端裏面のどの位置における垢や汚れにも毛束２０を確実に接触させるためである。また、本実施例では、第一ボディ部１２に植設した毛束２０の列並びにそれらの毛束２０の高さと第二ボディ部１４に植設した毛束２０の列並びにそれらの毛束２０の高さとは連結部１８を境に対称とする（図３参照）。これは、第一ボディ部１２と第二ボディ部１４のどちらを爪２８の表側に当てても裏側に当てても、同じ効果を得るようにするためである。
【００１３】
更に、図２や図３に示すように、各列の毛束２０において内側位置の高さが低く外側位置の高さが高いテーパ状にしても良いし、各毛束２０において全ての毛の高さを同一高さにしても良い。また、列によって各毛束２０の先端形状が異なる形状でも良いし、内側と外側で各列毎に毛束２０の硬さを変えても良い。なお、耐久性及び使用感触の観点から、毛束２０の素材を合成樹脂毛に代えて動物性又は植物性等の天然毛を使用しても良い。
【００１４】
第一ボディ部１２及び第二ボディ部１４には、手や指で第一ボディ部１２や第二ボディ部１４を掴むための把持部２２を備える。把持部２２は掴み易くかつ本体１６を連結部１８を中心に折り曲げるのに便利なものであれば、どのような形状でも構わない。例えば、図示のような湾曲した取手型でも良いし、単数又は複数の指を嵌めることができる環状型でも良い。
【００１５】
次に、ネイルブラシ１０の使用方法について説明する。
本実施例のネイルブラシ１０を使用する際には、第一ボディ部１２及び第二ボディ部１４に植設された対向する毛束２０で爪２８の表側と裏側とを挟み込む。このとき、片側の毛束２０（ここでは第一ボディ部１２に植設した毛束２０）が爪２８自体の表面に当たると共に爪２８の生え際の隙間３０に入り込み、他方の毛束２０（ここでは第二ボディ部１４に植設した毛束２０）が爪２８の生え際の隙間３０に入り込むと共に爪２８自体の先端裏側に当たる。なお、第二ボディ部１４の毛束２０の一部は指２６の腹に当たる。ここで、爪２８を毛束２０（ブラシ面）に押し付けた状態で左右に擦り動かすと、各毛束２０の先端が爪２８の生え際の隙間３０に付着した垢や汚れを取り除くと共に、爪２８の先端裏側に付着した垢や汚れを同時に取り除く、また、毛束２０が指２６の腹に当たる場合には、指２６の腹の垢や汚れも併せて取り除くことができる。また、ネイルブラシ１０は手の指２６の爪２８だけでなく、足の指の爪等に使用しても差し支えない。
【００１６】
従って、本実施例では、爪２８の表側と裏側とを同時に清掃することができるので、爪２８の清掃作業時間を短縮することができる。複数の列の毛束２０の長さを内側から外側にかけて短い長さから高い長さにしたのは、爪２８の先端が長い場合でも、爪２８の先端裏側に付着した垢や汚れを確実に除去できるようにするためである。即ち、少なくとも全体の半分以上の列で前記連結部に近い側の列では、各列の毛束の高さが前記連結部に近い側が最も低く前記連結部から離れるに連れて高くすれば良く、外側の２〜３列は同じ高さにしても良い。水や石鹸で手を洗う際等に使用すると、より効果的に垢や汚れを落とすことができ、雑菌や指先の臭い等も好適に除去することができる。なお、本発明では、指２６も同時に清掃することができる。
【図面の簡単な説明】
【００１７】
【図１】本発明に係るネイルブラシの平面図である。
【図２】図１の斜視図である。
【図３】本発明に係るネイルブラシの使用状態を示す側面図である。
【符号の説明】
【００１８】
１０    ネイルブラシ
１２    第一ボディ部
１４    第二ボディ部
１６    本体
１８    連結部
２０    毛束
２２    把持部
３０    隙間
【図１】
2005349091.tif 000003
【図２】
2005349091.tif 000004
【図３】
2005349091.tif 000005